(57)【要約】【課題】投射画像の画像データへのアクセスを容易とするプロジェクタ付きデジタルカメラの提供。【解決手段】プロジェクタ付きデジタルカメラ１は、被写体像を撮像する撮影ユニット４０と、画像データに基づく投射画像と、通信用情報をコード化した一次元コード画像または二次元コード画像との合成画像を生成する合成手段５０と、合成画像を投射する投射ユニット３０とを備える。【選択図】図２
2009159395.tif 000002
【特許請求の範囲】
【請求項１】
被写体像を撮像する撮影ユニットと、
画像データに基づく投射画像と、通信用情報をコード化した一次元コード画像または二次元コード画像との合成画像を生成する合成手段と、
前記合成画像を投射する投射ユニットとを備えたことを特徴とするプロジェクタ付きデジタルカメラ。
【請求項２】
請求項１に記載のプロジェクタ付きデジタルカメラにおいて、
前記通信用情報は、無線ネットワーク上の前記画像データを保持するサーバにアクセスするためのＵＲＬを含むことを特徴とするプロジェクタ付きデジタルカメラ。
【請求項３】
請求項１に記載のプロジェクタ付きデジタルカメラにおいて、
無線通信手段をさらに備え、
前記通信用情報は、前記無線通信手段を介してデジタルカメラにアクセスするための情報であることを特徴とするプロジェクタ付きデジタルカメラ。
【請求項４】
請求項１〜３のいずれか一項に記載のプロジェクタ付きデジタルカメラにおいて、
前記画像データに基づく投射画像のみを投射する第１の投射モードと、前記合成画像を投影する第２の投射モードとを切り替えるモード切替手段を備えたことを特徴とするプロジェクタ付きデジタルカメラ。
【請求項５】
請求項２に記載のプロジェクタ付きデジタルカメラと、
撮影手段、通信手段および前記撮影手段で撮影された前記合成画像から前記通信情報を抽出する抽出手段を備え、前記抽出した通信情報に基づいて前記サーバにアクセスする携帯情報機器とを備えることを特徴とする投影システム。
【請求項６】
請求項３に記載のプロジェクタ付きデジタルカメラと、
撮影手段、通信手段および前記撮影手段で撮影された前記合成画像から前記通信情報を抽出する抽出手段を備え、前記抽出した通信情報に基づいて前記デジタルカメラにアクセスする携帯情報機器とを備えることを特徴とする投影システム。
【請求項７】
請求項６に記載の投影システムにおいて、
携帯情報機器からの合成画像投射指令を受信すると、前記画像データに基づく投射画像のみを投射する第１の投射モードから、前記合成画像を投影する第２の投射モードへと切り替えるモード切替手段を、前記デジタルカメラに設けたことを特徴とする投影システム。
【発明の詳細な説明】
【技術分野】
【０００１】
本発明は、プロジェクタ付きデジタルカメラおよび投影システムに関する。
【背景技術】
【０００２】
従来、プロジェクタが組み込まれたデジタルカメラが知られている（例えば、特許文献１参照）。このようなプロジェクタデジタルカメラでは、カメラで撮影した画像を簡単にスクリーン上に投影して、多人数で観察することができる。
【０００３】
【特許文献１】特開２００５−２５０３９２号公報
【発明の開示】
【発明が解決しようとする課題】
【０００４】
しかしながら、観察している他の人が、投影されている画像について画像データやプリントされた画像が欲しい場合、例えば、カメラに記録されている画像データを一旦ＰＣ（パーソナルコンピュータ）に取り込み、その画像データを記録媒体に記録したりプリンタで印刷したりする必要があり、手間がかかっていた。
【課題を解決するための手段】
【０００５】
請求項１の発明によるプロジェクタ付きデジタルカメラは、被写体像を撮像する撮影ユニットと、画像データに基づく投射画像と、通信用情報をコード化した一次元コード画像または二次元コード画像との合成画像を生成する合成手段と、合成画像を投射する投射ユニットとを備えたことを特徴とする。
請求項２の発明は、請求項１に記載のプロジェクタ付きデジタルカメラにおいて、通信用情報は、無線ネットワーク上の画像データを保持するサーバにアクセスするためのＵＲＬを含むことを特徴とする。
請求項３の発明は、請求項１に記載のプロジェクタ付きデジタルカメラにおいて、無線通信手段をさらに備え、通信用情報は、無線通信手段を介してデジタルカメラにアクセスするための情報であることを特徴とする。
請求項４の発明は、請求項１〜３のいずれか一項に記載のプロジェクタ付きデジタルカメラにおいて、画像データに基づく投射画像のみを投射する第１の投射モードと、合成画像を投影する第２の投射モードとを切り替えるモード切替手段を備えたものである。
請求項５の発明による投影システムは、請求項２に記載のプロジェクタ付きデジタルカメラと、撮影手段、通信手段および撮影手段で撮影された合成画像から通信情報を抽出する抽出手段を備え、抽出した通信情報に基づいてサーバにアクセスする携帯情報機器とを備えることを特徴とする。
請求項６の発明は、請求項３に記載のプロジェクタ付きデジタルカメラと、撮影手段、通信手段および前記撮影手段で撮影された合成画像から通信情報を抽出する抽出手段を備え、抽出した通信情報に基づいてデジタルカメラにアクセスする携帯情報機器とを備えることを特徴とする。
請求項７の発明は、請求項６に記載の投影システムにおいて、携帯情報機器からの合成画像投射指令を受信すると、画像データに基づく投射画像のみを投射する第１の投射モードから、合成画像を投影する第２の投射モードへと切り替えるモード切替手段を、デジタルカメラに設けたことを特徴とする。
【発明の効果】
【０００６】
本発明によれば、投射画像の画像データに容易にアクセスすることができる。
【発明を実施するための最良の形態】
【０００７】
以下、図を参照して本発明を実施するための最良の形態について説明する。図１は本発明による投影システムの概念を説明する図である。１は本発明によるプロジェクタ付きデジタルカメラであり、カメラ内の記録部（後述するメモリカード１１０）に記録された画像データによる投射画像７を、内蔵するプロジェクタユニットによってスクリーン２上に投影することができる。なお、デジタルカメラ１の構成については後述する。電子アルバム（オンラインアルバム）のサービス利用者は、ネットワークを経由してサービス提供者（アルバムサイト）のＷｅｂサーバにアクセスして、所望の画像をアルバムとして登録（掲載）したり、登録されているアルバムの画像を閲覧したりすることができる。
【０００８】
例えば、アルバム掲載者がデジタルカメラ１で撮影した画像を登録する場合、まず、画像データをＰＣ３に転送する。そして、アクセスポイント４を介してＰＣ３をインターネット５に接続し、画像データをサーバ６にアップロードすることで登録する。もちろん、デジタルカメラ１自体が無線ＬＡＮ接続機能を有していれば、デジタルカメラ１をインターネット５に接続して画像データをサーバ６に登録するようにしても良い。
【０００９】
デジタルカメラ１は画像の投影を行う際に、その投射画像７の画像データが登録されている電子アルバムサイトのＵＲＬ（Uniform Resource Locator）の情報をコード化した情報コードの画像８を、画像７とともに投影する。このＵＲＬとしては、上記のように電子アルバムサイトのＵＲＬであっても良いし、各画像データの各々にアクセスするためのＵＲＬであっても構わない。このようなＵＲＬは、サーバ５に画像データをアップロードした際に、アルバムサイトから送信側に送られてくるので、そのＵＲＬを画像データのExif情報として格納しておく。デジタルカメラ１は、このExif情報のＵＲＬをコード化して情報コード画像８として投影する。すなわち、画像７と情報コード画像８との合成画像が投影される。情報コード画像８は、デジタルカメラ１が情報コード画像８を投影するモードに設定された場合にのみ投影され、通常の投影モードでは画像７のみが投影される。
【００１０】
９はカメラ付き携帯電話等の携帯情報機器であり、以下では携帯電話を例に説明する。この携帯電話９を所持している観察者が、スクリーン２に投影されている画像７の画像データが欲しいと思った場合、携帯電話９のコード読み取り用アプリケーションを起動し、携帯電話９によりスクリーン２上の情報コード画像８を撮影する。この場合、フラッシュが発光するとスクリーン２上に投影された情報コード画像８を撮影することができないので、フラッシュを発光させずに撮影を行う。
【００１１】
なお、ここでは、情報コード画像８を撮影する機器として携帯電話９を例に説明したが、通信機能付きデジタルカメラのように通信機能付き撮像装置であり、コード読み取り用アプリケーションを搭載していればどのようなものでも良い。
【００１２】
情報コード画像８を撮影することにより、情報コード画像８にコード化されているＵＲＬが読み取られ、携帯電話９の表示部にＵＲＬが表示される。そして、表示されたＵＲＬに接続することにより、電子アルバムサイト６またはそのサイトの画像が掲示されているページにアクセスすることができる。その後、所定の手続きを行うことにより、画像データを携帯電話９にダウンロードしたり、ネットを介して提供されているプリントサービスを利用してプリントアウトしたりすることができる。もちろん、ＰＣ３に接続されたプリンタ１０により印刷を行うようにしても良い。
【００１３】
《デジタルカメラの構成》
図２は、デジタルカメラ１の概略構成を示すブロック図である。デジタルカメラ１は、プロジェクタユニット３０、撮影ユニット４０および制御回路５０を主構成要素として備えている。制御回路５０には、メモリ６０が接続されている他、プロジェクタスイッチ７１ｓ、半押しスイッチ１０４ａ、全押しスイッチ１０４ｂ、メインスイッチ１０５、モード切替スイッチ１０６ｓが接続されている。半押しスイッチ１０４ａおよび全押しスイッチ１０４ｂは、それぞれレリーズボタンの押下操作に連動してオン信号もしくはオフ信号を制御回路５０へ出力する。さらに制御回路５０には、液晶表示器１０７、メモリカードインタフェース１０９、バッテリ１１１および無線ＬＡＮモジュール部１０８が接続されている。
【００１４】
制御回路５０は、制御プログラムに基づいて、デジタルカメラ１を構成する各部から入力される信号を用いて所定の演算を行ない、デジタルカメラ１の各部に対する制御信号を送出して、撮影動作および投影動作の制御を行なう。なお、制御プログラムは、制御回路５０内の不図示の不揮発性メモリに格納されている。
【００１５】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。無線ＬＡＮモジュール部１０８は、データのフォーマット変換や暗号化、変復調、周波数変換などの処理を行い、アクセスポイント４、ＰＣ３、携帯電話９などとの間で、データの受送信を行う。
【００１６】
撮影ユニット４０は、撮影レンズ１０１、撮像素子（イメージセンサ）４０２、レンズ駆動回路４０３、および撮影制御回路４０４を備える。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００１７】
撮影レンズ１０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。レンズ駆動回路４０３は、撮影制御回路４０４から出力されるズーム調節信号に基づいて、撮影レンズ１０１を構成するズームレンズ（不図示）を光軸方向（テレ側もしくはワイド側）へ進退駆動する。
【００１８】
プロジェクタユニット３０には、投影レンズ３０１、液晶パネル３０２、ＬＥＤ光源３０３等の他に、投影レンズ３０１を駆動するレンズ駆動回路３００、液晶パネル３０２、ＬＥＤ光源３０３を制御するとともにレンズ駆動回路３００を介して投影レンズを制御する投射制御回路３０６などが設けられている。レンズ駆動回路３００は、投射制御回路３０６から出力されるフォーカス調節信号に基づいて、投影レンズ３０１を構成するフォーカスレンズ（不図示）を駆動する。
【００１９】
デジタルカメラ１は、プロジェクタユニット３０により画像を投影する投影モードと、撮影ユニット４０で画像を撮影するカメラモードとを動作モードとして有する。これらは、プロジェクタスイッチ７１ｓの操作により切り替える。さらに、投影モードは、画像７のみを投影するモードと、上述した情報コード画像８も投影するモードとを有し、これらの切り替えはモード切替スイッチ１０６ｓによって行われる。
【００２０】
カメラモードでは、電子カメラ１は、撮像部４０により画像を撮影し、撮影した画像データを記録媒体（たとえば、メモリカード１１０や内部メモリ）に撮影画像ファイルとして保存する。再生モードでは、デジタルカメラ１は、撮影済みの画像データを記録媒体（たとえば、メモリカード１１０や内部メモリ）から読み出すなどして、画像データによる再生画像を液晶表示器１０７に再生表示する。撮影開始指示は、レリーズボタン１０４の押下操作に応じて出力される操作信号が対応する。
【００２１】
なお、撮影された画像データを逐次サーバ６にアップロードするようなモードに設定されている場合には、無線ＬＡＮモジュール部１０８により画像データを送信し、サーバ６から関連する情報（URLなど）を受信する、その関連情報はExif情報として画像データとともに一つのファイルにまとめられる。
【００２２】
一方、投影モードでは、撮影済みの画像データを記録媒体（たとえば、メモリカード１１０や内部メモリ）から読出すなどして、画像データによる再生画像（静止画、動画）を投影像として生成し、プロジェクタユニット３０によって投影する。その際、情報コード画像８も投影するモードに設定されている場合には、画像７とともに情報コード画像８も投影する。
【００２３】
なお、上述した実施の形態では、情報コード画像８にはインターネット上のＵＲＬが含まれていて、情報コード画像８を撮影した携帯電話９はサーバ６から画像データをダウンロードするような構成とした。しかし、bluetooth等の短距離無線通信によりデジタルカメラ１に直接アクセスし、デジタルカメラ１より画像データを受信するようにしても良い。そのような場合、情報コード画像８には、投影されている画像の画像データにアクセスするための情報（アクセス権に関する暗号、画像データのファイル名）などが情報として含まれている。
【００２４】
なお、ここでは、他の観察者が投影されている画像７の画像データが欲しいか否かに関係なく、情報コード画像８を投影するようにしたが、携帯電話９から情報コード画像８の投影を要求する信号がデジタルカメラ１に送信された場合にのみ、情報コード画像８を投影するようにしても良い。情報コード画像８の投影要求が無い場合には、情報コード画像８は投影され画像７のみが投影されるので、鑑賞を妨げることがない。デジタルカメラ１の制御回路５０は、投影要求を受信するとモード切替スイッチ１０６ｓをオフからオンへと切り替える。
【００２５】
以上説明したように、本実施の形態のプロジェクタ付きデジタルカメラ１は、画像７とともに一次元バーコードや二次元コードを情報データ画像８として投影することができる。そのため、携帯電話９などによりその情報データ画像８を撮影することにより、画像データにアクセスするための情報を取得することができるので、サーバ６やデジタルカメラ１から簡単に画像データを取得することができる。また、ネット上のプリントサービスを利用して、容易に画像印刷を行うことができる。
【００２６】
上述した実施の形態では、サーバ６やデジタルカメラ１の画像データにアクセスして、データの受信や画像の印刷を行ったが、アクセス後の処理に関してはこれらに限らない。また、情報コード画像８として、一次元コード（例えば、バーコード）や二次元コードの画像を投射したが、電子透かしの技術を利用して情報を画像中に埋め込んでもかまわない。電子透かしでは，人間の目では認識できない微少な変更（例えば、画像の明るさや色の微少な変更）を行うことで、情報を画像に埋め込む。埋め込まれた情報の検出する場合には、画像に付加された変更を専用の検出ツールにより読み取ることで，挿入した情報を検出する。このような電子透かしを用いれば、投射画像に情報コード画像８が重ねて写るようなことがなく、観察者は不自然さを感じることがない。
【００２７】
なお、本発明の特徴を損なわない限り、本発明は上記実施の形態に何ら限定されるものではない。
【図面の簡単な説明】
【００２８】
【図１】本発明による投影システムの概念を説明する図である。
【図２】デジタルカメラ１の概略構成を示すブロック図である。
【符号の説明】
【００２９】
１：プロジェクタ付きデジタルカメラ、２：スクリーン、４：アクセスポイント、５：インターネット、６：サーバ、７：画像、８：情報コード画像、９：携帯電話、３０：プロジェクタユニット、４０：撮影ユニット、５０：制御回路、１０１：撮影レンズ、１０６ｓ：モード切替スイッチ、１０８：無線ＬＡＮモジュール部、１１０：メモリカード、４０２：撮像素子
【図１】
2009159395.tif 000003
【図２】
2009159395.tif 000004